(57)【要約】【課題】自然体でうつ伏せ寝ができると共に、うつ伏せ寝中に呼吸困難になったり、首筋等を寝違えたりすることがない。【解決手段】本考案に係るうつ伏せ寝用枕１は、うつ伏せ寝時の顔面を支持可能に形成された顔面受部３と、顔面受部３より内側において前記顔面の呼吸箇所に対応する位置に形成された中空部４と、中空部４から外側に連通可能に形成された連通部６とを備えていることを特徴とする。【選択図】図１
0003131690.tif 000002
【実用新案登録請求の範囲】
【請求項１】
うつ伏せ寝時の顔面を支持可能に形成された顔面受部と、
該顔面受部より内側において前記顔面の呼吸箇所に対応する位置に形成された中空部と、
該中空部から外側に連通可能に形成された連通部と、
を備えていることを特徴とするうつ伏せ寝用枕。
【請求項２】
前記顔面受部は、該顔面受部の外周に形成されたフレーム部に弾性体を介して宙吊り状態で支持されている請求項１に記載のうつ伏せ寝用枕。
【請求項３】
前記顔面受部は、該顔面受部の外周に形成されたフレーム部に軸部を介して左右に揺動可能に支持されている請求項１に記載のうつ伏せ寝用枕。
【請求項４】
前記フレーム部の下部には脚部が形成され、該脚部には弾性体が介装されている請求項２又は３に記載のうつ伏せ寝用枕。
【請求項５】
前記顔面受部は、浮き輪状部材の上方に重合された浮き輪状部材により構成され、前記連通部は、前記上下浮き輪状部材の間に介装された空気取り入れ部材により構成されている請求項１に記載のうつ伏せ寝用枕。
【請求項６】
前記顔面受部は、弾性部材により構成され、前記連通部は、前記弾性部材に埋め込まれたパイプにより構成されている請求項１に記載のうつ伏せ寝用枕。
【請求項７】
前記顔面受部の下方に湾曲した格子状のフレーム部が設けられ、キャッチャーマスク状に形成されている請求項１に記載のうつ伏せ寝用枕。
【請求項８】
うつ伏せ寝時の胸部を支持可能に形成された胸受部が、請求項１〜７のいずれか１の請求項に記載のうつ伏せ寝用枕と一体に形成されていることを特徴とするうつ伏せ寝用マット。
【考案の詳細な説明】
【技術分野】
【０００１】
本考案は、うつ伏せ寝をするときに使用するうつ伏せ寝用枕及びうつ伏せ寝用マットに関する。
【背景技術】
【０００２】
一般に、うつ伏せ寝は、睡眠が深くなり、疲れを取り易く、また、一定の病気の予防に効果があることが知られている。そして、従来、うつ伏せ寝をする時には、平らな布団やマットの上において通常の枕を抱え込むようにして行っていた。
【考案の開示】
【考案が解決しようとする課題】
【０００３】
しかしながら、上記した従来の枕やマット等を使用してうつ伏せ寝をする場合、睡眠中に呼吸を確保するために、顔面を横に向ける等、無理な姿勢を取る必要があり、睡眠中に首筋等を寝違えるおそれがあった。
【０００４】
また、上記したように、うつ伏せ寝に一定の効果があることを知りながら、呼吸確保や寝違えに対する恐怖心から、うつ伏せ寝を躊躇する人も多く、万人に受け入れられ難いといった問題もあった。
【０００５】
本考案は、上記した課題を解決すべくなされたものであり、自然体でうつ伏せ寝ができると共に、うつ伏せ寝中に呼吸困難になったり、首筋等を寝違えたりすることのないうつ伏せ寝用枕及びうつ伏せ寝用マットを提供することを目的とするものである。
【課題を解決するための手段】
【０００６】
上記した目的を達成するため、本考案に係るうつ伏せ寝用枕は、うつ伏せ寝時の顔面を支持可能に形成された顔面受部と、該顔面受部より内側において前記顔面の呼吸箇所に対応する位置に形成された中空部と、該中空部から外側に連通可能に形成された連通部とを備えていることを特徴とする。
【０００７】
前記顔面受部は、該顔面受部の外周に形成されたフレーム部に弾性体を介して宙吊り状態で支持されていてもよい。
【０００８】
前記顔面受部は、該顔面受部の外周に形成されたフレーム部に軸部を介して左右に揺動可能に支持されていてもよい。
【０００９】
前記フレーム部の下部には脚部が形成され、該脚部には弾性体が介装されていてもよい。
【００１０】
前記顔面受部は、浮き輪状部材の上方に重合された浮き輪状部材により構成され、前記連通部は、前記上下浮き輪状部材の間に介装された空気取り入れ部材により構成されていてもよい。
【００１１】
前記顔面受部は、弾性部材により構成され、前記連通部は、前記弾性部材に埋め込まれたパイプにより構成されていてもよい。
【００１２】
前記顔面受部の下方に湾曲した格子状のフレーム部が設けられ、キャッチャーマスク状に形成されていてもよい。
【００１３】
また、本発明に係るうつ伏せ寝用マットは、うつ伏せ寝時の胸部を支持可能に形成された胸受部が上記したうつ伏せ寝用枕と一体に形成されていることを特徴とする。
【考案の効果】
【００１４】
本考案によれば、自然体でうつ伏せ寝ができると共に、うつ伏せ寝中に呼吸困難になったり、首筋等を寝違えたりすることがない。
【考案を実施するための最良の形態】
【００１５】
以下、図面を参照しつつ、本考案の実施の形態について説明する。
【００１６】
先ず、図１〜図３を参照しつつ、本考案の第１の実施の形態に係るうつ伏せ寝用枕について説明する。ここで、図１は本考案の第１の実施の形態に係るうつ伏せ寝用枕を示す斜視図、図２は同うつ伏せ寝用枕を示す平面図、図３は図２のＡ−Ａ断面図である。
【００１７】
本実施の形態に係るうつ伏せ寝用枕１は、扁平な角筒状に形成されたフレーム部２と、フレーム部２の内側においてうつ伏せ寝時の顔面を支持可能に形成された顔面受部３と、顔面受部３より内側において前記顔面の鼻や口の呼吸箇所に対応する位置に形成された中空部４と、フレーム部２の四隅下部に形成された脚部５とを備えて構成されており、各脚部５の間には中空部４から外側に連通可能なように連通部６が形成されている。
【００１８】
そして、顔面受部３は、縦長の長円環形状の柔軟な部材から構成されており、少なくとも額９と顎１０を支持可能なように形成され、複数（図示では８個）のバネ等の弾性体７を介してフレーム部２に宙吊り状態で支持されている。また、各脚部５にはバネ等の弾性体８が介装されており、これにより、フレーム部２は前後左右に傾斜可能となっている。
【００１９】
このような構成を備えたうつ伏せ寝用枕１を使用してうつ伏せ寝する場合、図３に示すように、額９と顎１０が顔面受部３に当接するように顔面を下向きにして顔面受部３に載せる。顔面受部３は弾性体７を介してフレーム部２に宙吊り状態で支持されていると共に、各脚部５に弾性体８が介装されているため、就寝中に頭部を上下左右に自由に動かすことができ、自然体で就寝することが可能となる。
【００２０】
次に、図４〜図６を参照しつつ、本考案の第２の実施の形態に係るうつ伏せ寝用枕について説明する。ここで、図４は本考案の第２の実施の形態に係るうつ伏せ寝用枕を示す斜視図、図５は同うつ伏せ寝用枕を示す平面図、図６は図５のＢ−Ｂ断面図である。
【００２１】
本実施の形態に係るうつ伏せ寝用枕１１は、扁平な角筒状に形成されたフレーム部１２と、フレーム部１２の内側においてうつ伏せ寝時の顔面を支持可能に形成された顔面受部１３と、顔面受部１３より内側において前記顔面の鼻や口の呼吸箇所に対応する位置に形成された中空部１４と、フレーム部１２の四隅下部に形成された脚部１５とを備えて構成されており、各脚部１５の間には中空部１４から外側に連通可能なように連通部１６が形成されている。
【００２２】
そして、顔面受部１３は、縦長の長円環形状の柔軟な部材から構成されており、少なくとも額と顎を支持可能なように形成されている。また、顔面受部１３の額支持部及び顎支持部から外側に向かって軸部１７形成され、この軸部１７は、フレーム部１２に形成された溝１８においてバネ等の弾性体１９によってフレーム部１２に左右に揺動可能に支持されている。さらにまた、各脚部１５にはバネ等の弾性体２０が介装されており、これにより、フレーム部１２は前後左右に傾斜可能となっている。
【００２３】
このような構成を備えたうつ伏せ寝用枕１１を使用してうつ伏せ寝する場合、額と顎が顔面受部１３に当接するように顔面を下向きにして顔面受部１３に載せる。顔面受部１３は軸部１７を介して左右に揺動可能に支持されていると共に、各脚部１５に弾性体２０が介装されているため、就寝中に頭部を上下左右に自由に動かすことができ、自然体で就寝することが可能となる。
【００２４】
次に、図７〜図１０を参照しつつ、本考案の第３の実施の形態に係るうつ伏せ寝用枕について説明する。ここで、図７は本考案の第３の実施の形態に係るうつ伏せ寝用枕を示す平面図、図８は同うつ伏せ寝用枕を示す側面図、図９は同うつ伏せ寝用枕の顔面受部を示す平面図、図１０は同うつ伏せ寝用枕の空気取り入れ部材を示す平面図である。
【００２５】
本実施の形態に係るうつ伏せ寝用枕２１は、浮き輪状部材２２の上方に重合された浮き輪状部材から成る顔面受部２３と、浮き輪状部材２２と顔面受部２３との間に介装された空気取り入れ部材（連通部）２４とにより構成されている。
【００２６】
そして、顔面受部２３は、円環形状を成し、少なくとも額と顎を支持可能なように形成されている。また、空気取り入れ部材（連通部）２４は、顔面受部２３の中空部２５に位置する中央部２６と、該中央部２６から放射状に延出する複数本（図示では４本）のパイプ２７とから構成されており、中央部２６の上面及びパイプ２７の先端にはそれぞれ空気孔２８が形成されている。
【００２７】
このような構成を備えたうつ伏せ寝用枕２１を使用してうつ伏せ寝する場合、額と顎が顔面受部２３に当接するように顔面を下向きにして顔面受部２３に載せる。顔面受部２３は浮き輪状部材から構成されていると共に、顔面受部２３の下方にされた浮き輪状部材２２が設けられているため、就寝中に頭部を上下左右に自由に動かすことができ、自然体で就寝することが可能となる。
【００２８】
次に、図１１及び図１２を参照しつつ、本考案の第４の実施の形態に係るうつ伏せ寝用枕と該うつ伏せ寝用枕を備えたうつ伏せ寝用マットについて説明する。ここで、図１１は本考案の第４の実施の形態に係るうつ伏せ寝用枕を備えたうつ伏せ寝用マットを示す斜視図、図１２は同うつ伏せ寝用枕を備えたうつ伏せ寝用マットを部分的に示す平面図である。
【００２９】
本実施の形態に係るうつ伏せ寝用枕３１は、クッション材等の弾性部材３２により構成されており、この弾性部材３２には、顔面の呼吸箇所に対応する位置に中空部３３が形成されていると共に、中空部３３から外側に連通するようにパイプ３４が埋め込まれている。
【００３０】
また、このうつ伏せ寝用枕３１には、うつ伏せ寝時の胸部を支持可能なように胸受部３５が一体に形成されてうつ伏せ寝用マット３６が構成されている。この場合、胸受部３５は、うつ伏せ寝用枕３１と同一材料の弾性部材により構成され、頭部から胸部に向かって下傾して形成されている。
【００３１】
このような構成を備えたうつ伏せ寝用枕３１及びうつ伏せ寝用マット３６を使用してうつ伏せ寝する場合、額と顎が中空部３３の周辺部に形成された顔面受部に当接するように顔面を下向きにして弾性部材３２に載せる。前記顔面受部及び胸受部３５が弾性部材により構成されているため、就寝中に頭部を上下左右に自由に動かすことができ、自然体で就寝することが可能となる。
【００３２】
次に、図１３及び図１４を参照しつつ、本考案の第５の実施の形態に係るうつ伏せ寝用枕とうつ伏せ寝用マットについて説明する。ここで、図１３は本考案の第５の実施の形態に係るうつ伏せ寝用枕を示す斜視図、図１４は同うつ伏せ寝用枕と一緒に使用するうつ伏せ寝用マットを示す斜視図である。
【００３３】
本実施の形態に係るうつ伏せ寝用枕４１は、キャッチャーマスク状を成し、うつ伏せ寝時の顔面を支持可能に形成された顔面受部４２と、顔面受部４２より内側において前記顔面の鼻や口の呼吸箇所に対応する位置に形成された中空部４３と、顔面受部４２の下方において湾曲した格子状のフレーム部４４とを備えて構成されて、フレーム部４４の格子間の隙間４５が連通部として機能するようになっている。そして、顔面受部４２は、縦長の長円環形状の柔軟な部材から構成されており、少なくとも額と顎を支持可能なように形成されている。
【００３４】
なお、このうつ伏せ寝用枕４１は、図１４に示すうつ伏せ寝用マット４６と一緒に使用してもよい。このうつ伏せ寝用マット４６は、クッション材等の弾性部材により構成されており、うつ伏せ寝用枕４１が嵌合可能な開口部４７と、開口部４７から外側に連通するようにパイプ４８が埋め込まれていると共に、うつ伏せ寝時の胸部を支持可能なように胸受部４９が一体に形成されている。
【００３５】
このような構成を備えたうつ伏せ寝用枕４１及びうつ伏せ寝用マット４５を使用してうつ伏せ寝する場合、額と顎が顔面受部４２に当接するように顔面を下向きにして顔面受部４２に載せる。フレーム部４３が下方に湾曲して形成されていると共に胸受部４９が弾性部材により構成されているため、就寝中に頭部を上下左右に自由に動かすことができ、自然体で就寝することが可能となる。
【図面の簡単な説明】
【００３６】
【図１】本考案の第１の実施の形態に係るうつ伏せ寝用枕を示す斜視図である。
【図２】本考案の第１の実施の形態に係るうつ伏せ寝用枕を示す平面図である。
【図３】図２のＡ−Ａ断面図である。
【図４】本考案の第２の実施の形態に係るうつ伏せ寝用枕を示す斜視図である。
【図５】本考案の第２の実施の形態に係るうつ伏せ寝用枕を示す平面図である。
【図６】図６は図５のＢ−Ｂ断面図である。
【図７】本考案の第３の実施の形態に係るうつ伏せ寝用枕を示す平面図である。
【図８】本考案の第３の実施の形態に係るうつ伏せ寝用枕を示す側面図である。
【図９】本考案の第３の実施の形態に係るうつ伏せ寝用枕の顔面受部を示す平面図である。
【図１０】本考案の第３の実施の形態に係るうつ伏せ寝用枕の空気取り入れ部材を示す平面図である。
【図１１】本考案の第４の実施の形態に係るうつ伏せ寝用枕を備えたうつ伏せ寝用マットを示す斜視図である。
【図１２】本考案の第４の実施の形態に係るうつ伏せ寝用枕を備えたうつ伏せ寝用マットを部分的に示す平面図である。
【図１３】本考案の第５の実施の形態に係るうつ伏せ寝用枕を示す斜視図である。
【図１４】本考案の第３の実施の形態に係るうつ伏せ寝用枕と一緒に使用するうつ伏せ寝用マットを示す斜視図である。
【符号の説明】
【００３７】
１          うつ伏せ寝用枕
２          フレーム部
３          顔面受部
４          中空部
５          脚部
６          連通部
７          弾性体
８          弾性体
１１        うつ伏せ寝用枕
１２        フレーム部
１３        顔面受部
１４        中空部
１５        脚部
１６        連通部
１７        軸部
２１        うつ伏せ寝用枕
２３        顔面受部
２４        空気取り入れ部材
２５        中空部
３１        うつ伏せ寝用枕
３３        中空部
３４        パイプ
３５        胸受部
３６        うつ伏せ寝用マット
４１        うつ伏せ寝用枕
４２        顔面受部
４３        中空部
４４        フレーム部
４５        隙間（連通部）
４６        うつ伏せ寝用マット
４９        胸受部
【図１】
0003131690.tif 000003
【図２】
0003131690.tif 000004
【図３】
0003131690.tif 000005
【図４】
0003131690.tif 000006
【図５】
0003131690.tif 000007
【図６】
0003131690.tif 000008
【図７】
0003131690.tif 000009
【図８】
0003131690.tif 000010
【図９】
0003131690.tif 000011
【図１０】
0003131690.tif 000012
【図１１】
0003131690.tif 000013
【図１２】
0003131690.tif 000014
【図１３】
0003131690.tif 000015
【図１４】
0003131690.tif 000016